【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
複数のＱｏＳ(Quality of Service)データフレームを含む単一の物理フレームを作成する作成手段と、
前記作成手段により作成された物理フレームを送信する送信手段と
送信された物理フレームの受信状態を含む応答フレームを受信する受信手段とを具備することを特徴とする通信装置。
【請求項２】
前記作成手段は、前記物理フレームに、該複数のＱｏＳデータフレームに対応する応答要求フレームを含むよう作成することを特徴とする請求項１に記載の通信装置。
【請求項３】
前記送信手段は、前記物理フレームの送信完了からＳＩＦＳ(Short Inter Frame Space)期間後に前記複数のＱｏＳデータフレームに対応する応答要求フレームを送信することを特徴とする請求項１に記載の通信装置。
【請求項４】
前記ＱｏＳデータフレームはＭＡＣ(Media Access Control)フレームであり、前記応答フレームはブロックＡＣＫ（応答）フレームであり、前記応答要求フレームはブロックＡＣＫ要求フレームであることを特徴とする請求項１乃至３のいずれかに記載の通信装置。
【請求項５】
前記物理フレームは、前記複数のＭＡＣフレームのそれぞれに対応する、属性を示す可変長のビットマップ情報と、該ビットマップ情報の長さ情報とを含むことを特徴とする請求項１乃至３のいずれかに記載の通信装置。
【請求項６】
前記複数のＱｏＳデータフレームは、ウインドウサイズに対応しており、
前記受信手段で受信した前記応答フレームに含まれる受信状態に基づいて、正常に受信されなかったＱｏＳデータフレームを再送する再送手段と、
前記再送手段による再送の際に、前記物理フレームに含めることが可能なＭＡＣフレームの最大数に相当する個数のＭＡＣフレームが含まれるように、前記ウインドウサイズを拡大する制御手段とを具備することを特徴とする請求項１乃至３のいずれかに記載の通信装置。
【請求項７】
前記複数のＱｏＳデータフレームは、第１のトラフィック識別子に対応する複数の第１ＱｏＳデータフレームと、第２のトラフィック識別子に対応する複数の第２ＱｏＳデータフレームとを有し、
前記応答要求フレームは、該複数の第１ＱｏＳデータフレームに対応する第１の応答要求フレームと、該複数の第２ＱｏＳデータフレームに対応する第２の応答要求フレームとを有することを特徴とする請求項１乃至３のいずれかに記載の通信装置。
【請求項８】
前記複数のＱｏＳデータフレームは、応答を必要とする第１のＱｏＳデータフレームと、応答を必要としない第２のＱｏＳデータフレームとを含むことを特徴とする請求項１乃至３のいずれかに記載の通信装置。
【請求項９】
前記物理フレームは、ＱｏＳデータフレームごとに、当該ＱｏＳデータフレームが応答を要する第１のＱｏＳデータフレームであるかそれとも応答を必要としない第２のＱｏＳデータフレームであるかを示す情報を含む請求項８に記載の通信装置。
【請求項１０】
前記ＱｏＳデータフレームのサイズの指定を含むトラフィックストリームを設定する設定手段を備え、
前記複数のＱｏＳデータフレームのそれぞれは前記サイズからなり、前記物理フレームは該ＱｏＳデータフレームの総数を示す情報を含むようにしたことを特徴とする請求項１乃至３のいずれかに記載の通信装置。
【請求項１１】
前記ＱｏＳデータフレームの第１，第２のサイズの指定を含む第１，第２のトラフィックストリームを設定する設定手段と、
前記複数のＱｏＳデータフレームは、第１のトラフィック識別子に対応する前記第１のサイズの複数の第１ＱｏＳデータフレームと、該第１ＱｏＳデータフレームの総数を示す第１の情報と、第２のトラフィック識別子に対応する前記第２のサイズの複数の第２ＱｏＳデータフレームと、該第２ＱｏＳデータフレームの総数を示す第２の情報と、トラフィック識別子の総数とを含むことを特徴とする請求項１乃至３のいずれかに記載の通信装置。
【請求項１２】
前記複数のＱｏＳデータフレームは、宛先の順番を示す情報および第１の宛先を有する第１の複数のＱｏＳデータフレームと、宛先の順番を示す情報および第２の宛先を有する第２の複数のＱｏＳデータフレームとを含むことを特徴とする請求項１乃至３のいずれかに記載の通信装置。
【請求項１３】
前記物理フレームは、複数の宛先の数および前記複数のＱｏＳデータフレームを送信すべき各々の宛先を示す情報を含むことを特徴とする請求項１乃至３のいずれかに記載の通信装置。
【請求項１４】
前記物理フレームは、複数の宛先の数および前記複数のＱｏＳデータフレームを送信すべき各々の宛先に対応する回線使用期間情報を含むことを特徴とする請求項１乃至３のいずれかに記載の通信装置。
【請求項１５】
第１の宛先を有する第１のＱｏＳデータフレームと、
第２の宛先を有する第２のＱｏＳデータフレームとを含む単一の物理フレームを作成する作成手段と、
前記複数のＱｏＳデータフレームは、第１の宛先を有する第１の複数のＱｏＳデータフレームと、第２の宛先を有する第２の複数のＱｏＳデータフレームとを含み、
前記応答要求フレームは、前記第１の宛先へ送信する前記第１のＱｏＳデータフレームに対応する第１の応答要求フレームと、前記第２の宛先へ送信する前記第２のＱｏＳデータフレームに対応する第２の応答要求フレームとを含むことを特徴とする請求項１乃至３のいずれかに記載の通信装置。
【請求項１６】
前記複数のＱｏＳデータフレームは、第１の宛先へ送信する第１の複数のＱｏＳデータフレームと、第２の宛先へ送信する第２の複数のＱｏＳデータフレームとを含み、
前記物理フレームは、前記第１の宛先からの応答フレームの開始時点と、前記第２の宛先からの応答フレームの開始時点と、全ての応答フレームの終了時点とを示す情報を含むことを特徴とする請求項１乃至３のいずれかに記載の通信装置。
【請求項１７】
前記複数のＱｏＳデータフレームは、宛先が異なっており、
前記物理フレームは、前記ＱｏＳデータフレームのそれぞれに対応するビットからなり、宛先の区切りを示す第１のビットマップ情報と、前記ＱｏＳデータフレームのそれぞれに対応するビットからなり、送達確認ポリシーを示す第２のビットマップ情報と、を含むことを特徴とする請求項１乃至３のいずれかに記載の通信装置。
【請求項１８】
第１の優先度を有する第１のＱｏＳ(Quality of Service)データフレームと、第２の優先度を有する第２のＱｏＳデータフレームとを含む単一の物理フレームを受信する受信手段と、
前記第１のＱｏＳデータフレームの受信に応じて開始され、前記第１の優先度に対応する第１のタイマー値を有する第１のタイマー手段と、
前記第２のＱｏＳデータフレームの受信に応じて開始され、前記第２の優先度に対応する第２のタイマー値を有する第２のタイマー手段と、
前記受信手段により受信された物理フレームに含まれる第１のＱｏＳデータフレームを記憶し、前記第１のタイマー手段が前記第１のタイマー値によりタイムアウトした時点で該第１のＱｏＳデータフレームを出力する第１の受信バッファと、
前記受信手段により受信された物理フレームに含まれる第２のＱｏＳデータフレームを記憶し、前記第２のタイマー手段が前記第２のタイマー値によりタイムアウトした時点で該第２のＱｏＳデータフレームを出力する第２の受信バッファとを具備することを特徴とする通信装置。
【請求項１９】
第１の優先度を有する第１のＱｏＳ(Quality of Service)データフレームと、第２の優先度を有する第２のＱｏＳデータフレームとを含む単一の物理フレームを作成する作成手段、前記第１の優先度に対応する第１のタイマー値および前記第２の優先度に対応する第２のタイマー値の少なくともいずれかを前記物理フレームに指定する指定手段、前記指定手段によりタイマー値の指定がなされた物理フレームを送信する送信手段を有する第１の通信装置と、
前記送信手段から送信された物理フレームを受信する受信手段、前記第１のＱｏＳデータフレームの受信に応じて開始され、前記物理フレームに指定された第１のタイマー値が設定される第１のタイマー手段、前記第２のＱｏＳデータフレームの受信に応じて開始され、前記物理フレームに指定された第２のタイマー値が設定される第２のタイマー手段、前記受信手段により受信された物理フレームに含まれる第１のＱｏＳデータフレームを記憶し、前記第１のタイマー手段が前記第１のタイマー値によりタイムアウトした時点で該第１のＱｏＳデータフレームを出力する第１の受信バッファ、前記受信手段により受信された物理フレームに含まれる第２のＱｏＳデータフレームを記憶し、前記第２のタイマー手段が前記第２のタイマー値によりタイムアウトした時点で該第２のＱｏＳデータフレームを出力する第２の受信バッファを有する第２の通信装置とを具備することを特徴とする通信システム。
【請求項２０】
複数のＱｏＳ(Quality of Service)データフレームを含む単一の物理フレームを受信する受信手段、前記物理フレームの受信からＳＩＦＳ(Short Inter Frame Space)期間が経過した後の時点において、該ＳＩＦＳ期間の経過直後に送信すべき応答フレームを送信する送信手段を有する第１の通信装置と、
前記第１の通信装置が前記ＳＩＦＳ期間の経過直後に送信すべき応答フレームを送信できない旨の通知を受信する手段、該通知を受けて前記ＳＩＦＳ期間の経過直後から前記応答フレームを送信するまでの期間に相当して設定するＮＡＶ(Network Allocation Vector)を延長する手段を有する第２の通信装置とを具備することを特徴とする通信システム。
【請求項２１】
複数のＱｏＳ(Quality of Service)データフレームを含む単一の物理フレームを作成する作成ステップと、
該作成された物理フレームを送信する送信ステップと、
送信された物理フレームの受信状態を含む応答フレームを受信する受信ステップとをコンピュータに実行させるための通信制御プログラム。
【請求項２２】
前記作成ステップは、前記物理フレームに、該複数のＱｏＳデータフレームに対応する応答要求フレームを含むよう作成することを特徴とする請求項２１に記載のコンピュータに実行させるための通信制御プログラム。
【請求項２３】
前記送信ステップは、前記物理フレームの送信完了からＳＩＦＳ(Short Inter Frame Space)期間後に前記複数のＱｏＳデータフレームに対応する応答要求フレームを送信することを特徴とする請求項２１に記載のコンピュータに実行させるための通信制御プログラム。